(57)【特許請求の範囲】
【請求項１】
曲面または斜面と平面とを含む装飾面が表面に形成されると共に、裏面側にボス部を有する装飾部品と、該装飾部品のボス部が嵌入される取付部を被取付面に有する被装飾部材とを備えた遊技機において、
前記装飾部品は、
前面側に突出するジョイント突部と前記ボス部とを有する部品主体と、
表面の一部として、前記被装飾部材の被取付面へ当該装飾部品が取り付けられる方向に対して略直交する平面をなすスポットを有するカバー部材とを備え、
前記部品主体及び前記カバー部材が結合された状態において、該カバー部材の裏面と前記部品主体の前面とが互いに間隔をあけて重なる領域を形成すると共に、該間隔をあけて重なる領域にて前記ジョイント突部が前記カバー部材における前記スポットの裏面に当たるように構成され、
前記スポットは、前記曲面または斜面の位置する側に前記平面の縁部が延出された形状として前記装飾面に形成されていることを特徴とする遊技機。
【請求項２】
曲面または斜面と平面とを含む装飾面が表面に形成されると共に、裏面側にボス部を有する装飾部品と、該装飾部品のボス部が嵌入される取付部を被取付面に有する被装飾部材とを備えた遊技機において、
前記装飾部品は、
前記ボス部を有する部品主体と、
表面の一部として、前記被装飾部材の被取付面へ当該装飾部品が取り付けられる方向に対して略直交する平面をなすスポットを有すると共に、前記スポットの裏面から裏面側に突出するジョイント突部を有するカバー部材とを備え、
前記部品主体及び前記カバー部材が結合された状態において、該カバー部材の裏面と前記部品主体の前面とが互いに間隔をあけて重なる領域を形成すると共に、該間隔をあけて重なる領域にて前記ジョイント突部が前記部品主体におけるボス部の前面に当たるように構成され、
前記スポットは、前記曲面または斜面の位置する側に前記平面の縁部が延出された形状として前記装飾面に形成されていることを特徴とする遊技機。
【発明の詳細な説明】
【技術分野】
【０００１】
本発明は、装飾部品が取り付けられる遊技機に関する。
【背景技術】
【０００２】
従来の技術を遊技機の一つであるパチンコ機を例示して説明する。
【０００３】
パチンコ機など遊技機の現在の装飾部品は、取付孔に嵌合させ、固着する取付構造になっている。
【発明の開示】
【発明が解決しようとする課題】
【０００４】
装飾部品を、部品主体の上にカバー部材を重ねて構成すると、カバー部材が変形し易くなるおそれがある。
【課題を解決するための手段】
【０００５】
本発明は上記に鑑みなされたもので、請求項１に記載の遊技機は、
曲面または斜面と平面とを含む装飾面が表面に形成されると共に、裏面側にボス部を有する装飾部品と、該装飾部品のボス部が嵌入される取付部を被取付面に有する被装飾部材とを備えた遊技機において、
前記装飾部品は、
前面側に突出するジョイント突部と前記ボス部とを有する部品主体と、
表面の一部として、前記被装飾部材の被取付面へ当該装飾部品が取り付けられる方向に対して略直交する平面をなすスポットを有するカバー部材とを備え、
前記部品主体及び前記カバー部材が結合された状態において、該カバー部材の裏面と前記部品主体の前面とが互いに間隔をあけて重なる領域を形成すると共に、該間隔をあけて重なる領域にて前記ジョイント突部が前記カバー部材における前記スポットの裏面に当たるように構成され、
前記スポットは、前記曲面または斜面の位置する側に前記平面の縁部が延出された形状として前記装飾面に形成されていることを特徴とするものである。
【０００６】
また、請求項２に記載の遊技機は、
曲面または斜面と平面とを含む装飾面が表面に形成されると共に、裏面側にボス部を有する装飾部品と、該装飾部品のボス部が嵌入される取付部を被取付面に有する被装飾部材とを備えた遊技機において、
前記装飾部品は、
前記ボス部を有する部品主体と、
表面の一部として、前記被装飾部材の被取付面へ当該装飾部品が取り付けられる方向に対して略直交する平面をなすスポットを有すると共に、前記スポットの裏面から裏面側に突出するジョイント突部を有するカバー部材とを備え、
前記部品主体及び前記カバー部材が結合された状態において、該カバー部材の裏面と前記部品主体の前面とが互いに間隔をあけて重なる領域を形成すると共に、該間隔をあけて重なる領域にて前記ジョイント突部が前記部品主体におけるボス部の前面に当たるように構成され、
前記スポットは、前記曲面または斜面の位置する側に前記平面の縁部が延出された形状として前記装飾面に形成されていることを特徴とするものである。
【発明の効果】
【０００７】
本発明によれば、カバー部材が変形しづらい遊技機を提供できる。
【発明を実施するための最良の形態】
【０００８】
以下に本発明の実施の形態をパチンコ機を例示して説明する。なお、図１は遊技板に装飾部品を取り付ける工程を示す斜視図、図２は装飾部品の斜視図、図３は装飾部品の分解斜視図、図４は図２のＸ−Ｘ矢示部の一部を示す使用状態の断面図、図５は図２のＹ−Ｙ矢示部を示す使用状態の断面図、図６はパチンコ機の一部拡大正面図である。
【０００９】
図６のようにパチンコ機Ｐの正面には前枠１があり、その前枠１に遊技板２が取り付けられている。遊技板２にはガイドレール３で囲った円形の遊技領域２ｐが形成されていて、その遊技領域２ｐの中に障害釘４や入賞装置５などが設けられている。この遊技板２が本実施形態における被装飾部材であり、図１及び図４，図５に示したように遊技領域２ｐの外側上部に後述する装飾部品６用の取付孔７が複数個穿設されている。
【００１０】
前記装飾部品６は合成樹脂製であって、図３に示したように部品主体６１と、その部品主体６１上に重なる色違いのカバー部材６２との結合構造になっている。部品主体６１とカバー部材６２の装飾面Ｚは曲面を組み合わせた凸凹の立体構造になっており、その曲面の一部を迫り出させて遊技板面と平行な押圧スポット８が形成してある。押圧スポット８は後述するプレス機の押圧ピン１２と同程度かそれより若干大きい広さに形成され、装飾部品６のコーナー部分と端部及び中間部分にバランス良く配置されている。この押圧スポット８の裏側に取付用ボス９が配設されている。取付用ボス９は、断面十字状で軸部の中間から先端に向かって窄まる釘形態であって、前記遊技板２の取付孔７にきつく嵌合する太さに設定してある。
【００１１】
前記取付用ボス９は部品主体６１と一体である。一方、カバー部材６２に対応して取付用ボス９の前面に部品主体６１からジョイントピン９０を突設し、このジョイントピン９０をカバー部材６２の押圧スポット８の下に当て、もって押圧スポット８からジョイントピン９０を介して取付用ボス９に力が伝わるようにしてある。なお、前記ジョイントピン９０はカバー部材６２の裏側に一体に突設してもよい。
【００１２】
このように、部品主体６１に取付用ボス９を突設するとともにカバー部材６２に押圧スポット８を形成し、部品主体６１またはカバー部材６２にジョイントピン９０を突設して部品主体６１の取付用ボス９とカバー部材６２の押圧スポット８を連結するようにすれば、カバー部材６２の押圧スポット８を押圧してもカバー部材６２が割れるおそれがない。従って、部品主体６１の上にカバー部材６２を重ねた組合せ構造の装飾部品６であっても、カバー部材６２を変形させることなく全体に均等に力を加えることができる。
【００１３】
なお、装飾部品６には図３，図４に示したように基板１０上にランプ１１が取り付けられている。また、部品主体６１の裏側には、遊技板２側からランプ（図示せず）が差し込まれる。
【００１４】
次ぎに、前記装飾部品６を遊技板２に取り付ける方法について説明する。先ず、図１に示したように水平に寝かせた遊技板２に装飾部品６を載せる。このとき装飾部品６の取付用ボス９と遊技板２の取付孔７の位置を合わせる。この状態でプレス機の押圧ピン１２を下降させると、全ての押圧ピン１２が装飾部品６の押圧スポット８に当接する。そして、押圧ピン１２を押し下げると、押圧スポット８から力が伝わって、取付用ボス９が遊技板２の取付孔７にきつく差し込まれて嵌まり合う。この状態で装飾部品６は遊技板２から外れない。
【００１５】
以上本発明を実施の形態について説明したが、もちろん本発明は上記実施形態に限定されるものではない。例えば、実施形態では被装飾部材として遊技板２を例示したが、図６においてパチンコ機の前枠１を被装飾部材とし、上部の装飾ランプカバー１３や錠カバー１４などを装飾部品とすることもできる。また、取付用ボス９は装飾部品６と一体成形した構造である必要はなく、取付用ボスを金属製にして装飾部品６の成型時にインサートするようにしてもよい。また、装飾面Ｚは実施形態のように曲面で立体的に構成する場合に限るものではなく、斜面を使用したり、或いは曲面と斜面とを適宜組み合わせて構成するようにしてもよい。また、言うまでもなく遊技機はパチンコ機に限定されるものではない。
【図面の簡単な説明】
【００１６】
【図１】遊技板に装飾部品を取り付ける工程を示す斜視図である。
【図２】装飾部品の斜視図である。
【図３】装飾部品の分解斜視図である。
【図４】図２のＸ−Ｘ矢示部の一部を示す使用状態の断面図である。
【図５】図２のＹ−Ｙ矢示部を示す使用状態の断面図である。
【図６】パチンコ機の一部拡大正面図である。
【符号の説明】
【００１７】
１  …前枠（被装飾部材）
２  …遊技板（被装飾部材）
６  …装飾部品
６１…部品主体
６２…カバー部材
７  …取付孔（取付部）
８  …押圧ポイント（スポット）
９  …取付用ボス（ボス部）
９０…ジョイントピン（ジョイント突部）
１３…装飾ランプカバー（装飾部品）
１４…錠カバー１４（装飾部品）
Ｚ  …装飾面
【図１】
0004688002.tif 000002
【図２】
0004688002.tif 000003
【図３】
0004688002.tif 000004
【図４】
0004688002.tif 000005
【図５】
0004688002.tif 000006
【図６】
0004688002.tif 000007